(57)【要約】      （修正有）【課題】前回使用したトイレットペーパーの端部を探すことなく容易に掴み使用量引き出し切断することのできるトイレットペーパーホルダーを提供する。【解決手段】トイレットペーパーホルダー１の両側板２に点接棒５と接面棒３を設置し側板２にペーパー掴む切欠ぎ９を設ける。点接棒５で切断板４を両側より挟持する。切断板４には接面棒３との接触部に切断板の接面部、切断板ペーパー掴む切欠ぎを設け端部に切断刃６を設置する。切断刃６の刃先は引き出すトイレットペーパーに傷をつけないように同一方向に平行かつ切断板４の表面より下げて設置する。点接棒５は切断板４の支点の作用も司どり点接棒５を中心に円形切断板ペーパー入口側より切断刃６側を長く又数グラム重く設置する。【選択図】図１
2016054965.tif 000002
【特許請求の範囲】
【請求項１】
トイレットペーパーホルダー本体の側板に接面棒（３）と点接棒（５）を設け、前記点接棒で切断板（４）を支持し前記切断板は、ペーパーの入口側に円形切断板ペーパー入口を設けペーパー引き出し側先端部に切断刃を設け点接棒を支点にペーパーを引出し前記切断版と接面棒で圧接しカットまでを円滑に行う事を特徴とするトイレットペーパーホルダー。
【請求項２】
前記側板には、ペーパーのみを掴む側板部ペーパー掴む切欠ぎを設け、前記切断板にはペーパーの入口側より凸ペーパー直進レールを設け、ペーパーの進入角度に対し円滑に対応する円形切断板ペーパー入口を設け接面棒と当接する位置にヤスリ加工を施しペーパーのスリップを止める接面部と点接棒で支持する切断板点接部と切断板ペーパー掴む切欠ぎ、端部に引き出すペーパーに傷をつけないよう同一方向の先端に切断刃を設ける事を特徴とする請求項１記載のトイレットペーパーホルダー。
【請求項３】
トイレットペーパーホルダー本体上部に設けた接面棒、点接棒、切断板を補助部材として構成し、既設のトイレットペーパーに併設する事を特徴とする請求項１、請求項２記載のトイレットペーパーホルダー。
【請求項４】
卓上に置いて、ティッシュペーパーの代用としての使用が可能な事を特徴とする、請求項１、請求項２、請求項３記載のトイレットペーパーホルダー。
【発明の詳細な説明】
【技術分野】
【０００１】
本発明はトイレットペーパーから切断端部を探し、掴み、引き出しカットする操作が簡単且つ容易にミスなく行うことが出来るトイレットペーパー保持体に関する。
【背景技術】
【０００２】
従来のトイレットペーパーを使用する保持体の一般的な構造としては、前記保持体の上部に設置する切断刃付カバーを開け前回使用したトイレットペーパーの切断端部をペーパーロールより剥がし必要量引き出し切断刃付のカバーを閉じ押えて引き出したトイレットペーパーを引き上げカバー先端部の切断刃でカットするため手間がかかる。
【０００３】
他の構造の例としては、（特許文献３５１６４４７）トイレットペーパー収納部より引き出し方向に張り出した端部に切断刃を設置しカットする構造のトイレットペーパーホルダーは有ったが前記動作を行なう際にカッターの露出は怪我の恐れも有る又ペーパーを引き出す時、収納部底面の滑り止めに接触して引き出すので清潔でない又使用する毎にペーパーロール外径が小さくなり重量も軽くなるため収納部底面への押し付ける力が徐々に弱くなり、カットする時にスリップが生じやすく切断ミスが起きやすい。
【先行技術文献】
【特許文献】
【０００４】
【特許文献１】特許３５１６４４７
【特許文献２】特許３２１８４６４
【特許文献３】特開２００６−１４１９２１
【特許文献４】特開平１０−３２３２９９
【発明の概要】
【発明が解決しようとする課題】
【０００５】
本発明は前記課題を解決するためになされたものであってトイレットペーパーの前回使用済の切断端部を探しペーパーを掴み、引き出しカットする手間と、不便さを解消し切断ミスをなくす事を目的とする。
【課題を解決するための手段】
【０００６】
前記課題を解決するためにトイレットペーパーホルダー（１）の両側板（２）に、点接棒（５）を設置し切断板（４）の両側の切断板点接部（２０）を挟持する。
【０００７】
前記点接棒（５）は前記切断板（４）の支点作用も司どり点接棒（５）を中心に切断板（４）の円形切断板ペーパー入口（１６）側より切断刃（６）側の方が長く、数グラム重いので常に下がっている状態。
【０００８】
トイレットペーパー引出し部（１８）よりペーパーを引き出す時にトイレットペーパー（１４）のペーパーがほどけ新規トイレットペーパー巻頭（１５）凸ペーパー直進レール（２３）、円形切断板ペーパー入口（１６）、測板（２）に設置した接面棒（３）と切断板の接面部（７）の隙間を経て切断刃（６）へと導く。
【０００９】
前記トイレットペーパー引出し部（１８）を引き始めるとトイレットペーパー（１４）とペーパーローラ内径受ロール（１２）とローラ軸（１１）に摩擦抵抗が発生し円形切断板ペーパー入口（１６）を引き下げる前記行動を行った時、接面棒（３）と切断板の接面部（７）に隙間が出来る前記隙間から使用量引き出し前記トイレットペーパーを点接棒（５）を支点に切断刃（６）に押し当てさらに押し下げて切断する。
【００１０】
前記切断する時、接面棒（３）と切断板の接面部（７）が密接しペーパーの引き出しをストップしスリップする事なく切断する。
【００１１】
又、点接棒（５）から切断刃（６）の方を約倍の長さで設定しているので切断刃（６）を押し下げる倍の力で前記接面棒（３）と切断板の接面部（７）が密接するのでトイレットペーパーをスリップせずに切断する。
【００１２】
又、切断板（４）は、切断板ペーパー掴む切欠ぎ（８）を設け次回使用する人が、前記と側板部ペーパー掴む切欠ぎ（９）を併用し次回トイレットペーパー掴み部（２２）で切断端部（２１）を探す事なくトイレットペーパーのみを掴み必要量引き出し切断する。
【００１３】
前記を構成する事により新規トイレットペーパーの巻頭から巻末まで切断ミスなく容易に使用する事が出来る。
【００１４】
新規トイレットペーパー（１４）をトイレットペーパーホルダーに収納する時は前記トイレットペーパー（１４）にペーパーローラ内径受ロール（１２）付ローラ軸（１１）を入れローラ軸ガイド（１０）を転がし収納する前記ローラ軸ガイド（１０）はトイレットペーパー（１４）の両側面の回転ブレも修正する。
【発明の効果】
【００１５】
本発明のトイレットペーパーホルダーは簡単な構成により新規トイレットペーパーの装填作業を容易なものにし切断板（４）を設置したことにより前回使用したトイレットペーパーの端部を探す事なく次回トイレットペーパー掴み部（２２）でペーパーのみを掴み使用量引き出しミスなくカットする事が容易に出来る。
【００１６】
トイレットペーパーの巻頭から巻末まで同じ動作の繰り返しで引き出しミスもなく切断刃（６）のカットする位置も同じ、又トイレットペーパーを引き出す時の修導部も少なく清潔である。
【００１７】
図９に示すように図４のＢ―Ｂ線より上部のみを製作し既設のトイレットペーパーの上部に両面テープ等で設置し既設トイレットペーパーからペーパーの供給を受け前記との併用で使用すれば本発明と同様の効果を得る事が出来る。
【００１８】
本発明のトイレットペーパーホルダーは前記使用の他卓上に置いてティッシュペーパーとしての使用も可能前記使用時は下面にすべり止め、又、卓上面を傷つけないようにゴム等を張る。又接地面積も少ない。
【００１９】
切断刃の材質は金属又はプラスチック他で紙が切れれば良い。
【００２０】
切断板（４）両側の切断板ペーパー掴む切欠ぎ（８）は、次回使用時、左右どちらからでもペーパーが掴めるように出来るだけ広く設ける。
【図面の簡単な説明】
【００２１】
【図１】トイレットペーパーホルダーの斜視図（トイレットペーパー装填前）。
【図２】トイレットペーパーホルダーの正面図（一部透視図）。
【図３】トイレットペーパーホルダーに新規トイレットペーパーを装填した図２のＡ―Ａ断面図。
【図４】トイレットペーパー引き出し中の図２Ａ―Ａ断面図。
【図５】トイレットペーパーを引き出し切断済の図２Ａ―Ａ断面図。
【図６】トイレットペーパーを切断しカバーをした図２Ａ―Ａ断面図。
【図７】トイレットペーパーホルダーの両側板に設置したガイドローラにトイレットペーパーを装填した断面図。
【図８】トイレットペーパーホルダーの両側板に設置した点接棒で切断板を挟持した断面図。
【図９】図４Ｂ―Ｂ線上部と既設トイレットペーパーを併用で設置した断面図。
【発明を実施するための形態】
【００２２】
本発明に係るトイレットペーパーホルダー（１）の構成について図１から図９に基づいて説明する。図１は本発明に係るトイレットペーパーホルダー（１）の斜視図（トイレットペーパーロールを収納前）。
【００２３】
図２は本発明を構成する部品の正面図で、各部品は、両側板（２）で設置される。
【００２４】
図３は新規トイレットペーパー（１４）にペーパーローラ内径受ロール（１２）付ローラ軸（１１）を入れ-ローラ軸ガイド（１０）を転がし止りまで収納し新規トイレットペーパー巻頭（１５）を円形切断板ペーパー入口（１６）から接面棒（３）と切断板の接面部（７）の間を通り切断板（４）の上面を通過しトイレットペーパー引き出し部（１８）へ配した図で、側板（２）には接面棒（３）と点接棒（５）を設置し側板部ペーパー掴む切欠ぎ（９）を設ける。
【００２５】
図４はトイレットペーパー（１４）の新規トイレットペーパー巻頭（１５）からトイレットペーパー巻末（１７）までをトイレットペーパー引き出し部（１８）より引き出し中の断面図、前記引き出すトイレットペーパーによる切断板（４）の動きはローラ軸（１１）に摩擦抵抗が発生し円形切断板ペーパー入口（１６）を引き下げる、前記動きにより接面棒（３）に当接していた切断板の接面部（７）に隙間が出来トイレットペーパーをトイレットペーパー引出し部（１８）へ引き出す。
【００２６】
円形切断板ペーパー入口（１６）の上下の動きは切断板（４）の切断板点接部（２０）を点接棒（５）が点接触で挟持しているので抵抗も少く微力で動く。
【００２７】
図５は切断刃（６）で前記トイレットペーパーを切断し切断端部（２１）になった断面図。
前記トイレットペーパー引き出し部（１８）を切断刃（６）に押し当てると、前記接面棒（３）と切断板の接面部（７）が点接棒（５）を支点に密着しペーパーの動きを止めスリップせずにトイレットペーパーを切断刃（６）で切断する。
【００２８】
前記行動時点接棒（５）を支点に切断刃（６）側を長く設けるので切断刃（６）にトイレットペーパーを押し当てる力も強く接面棒（３）と切断板の接面部（７）が密接するのでトイレットペーパーは静止位置で切断刃（６）により切断され切断端部（２１）となる。
【００２９】
図６はトイレットペーパーを切断し使用後、切断刃による怪我とホコリ予防のためカバー（１９）を閉じる。カッター保護部（２５）の突起部は切断刃（６）がカバー（１９）を閉じた時当接しないよう側板（２）に設けた断面図。
図７はトイレットペーパー（１４）にペーパーローラ内径受ロール（１２）付ローラ軸（１１）を入れ、ローラ軸ガイド（１０）に装填した断面図、図８は切断板（４）を両側板（２）に設置した点接棒（５）で切断板点接部（２０）を点接触で挟持した断面図。
図９は図４のＢ−Ｂ線上部のみを製作し既設のトイレットペーパーと併用で設置した断面図。
【符号の説明】
【００３０】
１    トイレットペーパーホルダー
２    側板
３    接面棒
４    切断板
５    点接棒
６    切断刃
７    切断板の接面部
８    切断板ペーパー掴む切欠ぎ
９    側板部ペーパー掴む切欠ぎ
１０  ローラ軸ガイド
１１  ローラ軸
１２  ペーパーローラ内径受ロール
１３  トイレットペーパー芯
１４  トイレットペーパー
１５  新規トイレットペーパー巻頭
１６  円形切断板ペーパー入口
１７  トイレットペーパー巻末
１８  トイレットペーパー引出し部
１９  カバー
２０  切断板点接部
２１  トイレットペーパー切断端部
２２  次回トイレットペーパー掴み部
２３  凸ペーパー直進レール
２４  両面接着テープ
２５  カッター保護部
【図１】
2016054965.tif 000003
【図２】
2016054965.tif 000004
【図３】
2016054965.tif 000005
【図４】
2016054965.tif 000006
【図５】
2016054965.tif 000007
【図６】
2016054965.tif 000008
【図７】
2016054965.tif 000009
【図８】
2016054965.tif 000010
【図９】
2016054965.tif 000011